(57)【要約】      （修正有）【課題】車載のチャイルドシートやベビーシート用の組み立て式おもらし用シートパッドとして、どんなシートにも適応でき、シートベルトを汚さずにすむシートパッドを提供する。【解決手段】平らな末広がり型のシートパッド１の、下部中央に、Ｔ字形のカット６をし、上部にも、左右対称に、２カ所、縦長のカットをして、接着テープで接着し、立体的に組み立てた上に、長方形のシートパッド２を重ねる。異なる形状に於いては、必要に応じ、備え付けの伸縮テープ付ベルト３を使用する。【選択図】図１
0003149915.tif 000002
【実用新案登録請求の範囲】
【請求項１】
本考案品は、チャイルドシート・ベビーシート使用中の幼児のおもらしに対応するための男女共用チャイルドシート・ベビーシート用シートパッドである。
考案品は、末広がりのシートパッドに切れ目があり、脱着テープを接着させ、シートの形状にあわせて形を整えた後、その上に交換用の長方形型シートパッドを重ねて使用するものである。重ねたシートパッドは長方形のまま使用できるほか、幼児が座った後、下部を折り曲げ幼児の腹部までおおい、中央のベルト止めにシートベルトを差し込む際押さえて使用する。
中央にベルト止めのない形状のチャイルドシート・ベビーシートは、長方形シートパッドを重ねてそのまま使用できるほか、折り曲げて末広がりのシートパッドと接着させて使用する。
また、形状の異なるチャイルドシートと考案品を固定させる為には、伸縮テープ付きのベルトで固定することが可能である。
【考案の詳細な説明】
【技術分野】
【０００１】    本考案品は、チャイルドシート・ベビーシート使用中の幼児のおもらしに対応するための男女共用チャイルドシート・ベビーシート用シートパッドである。
考案品は、末広がりのシートパッドに切れ目があり、脱着テープを接着させ、シートの形状に合わせて形を整えた後、その上に交換用の長方形型シートパッドを重ねて使用するものである。重ねたシートパッドは幼児が座った後、下部を折り曲げ幼児の腹部までおおい、中央のベルト止めにシートベルトを差し込む際押さえて固定する。状況に応じ長方形での使用も可能。
形状の異なるチャイルドシートと考案品を固定させる為には、伸縮テープ付きのベルトで固定することも可能である。
【技術背景】
【０００２】    幼児を長時間チャイルドシート・ベビーシートに座らせる必要がある際、特におむつを取るトレーニング中の幼児或いは、おむつ離れしたばかりの幼児に、おむつを使用すると、その後、おむつを外したがらない問題が生じる。又、チャイルドシート・ベビーシートにおもらしをされると、後始末は大変困難である。
考案品は、市販の同目的のシートカバーを探したが、適当な商品を見つけることができなかったことから、考案されたものである。
【考案の開示】
【考案が解決しようとする課題】
【０００３】    何よりも、取り外し簡単な、経済的なシートパッドであること。
幼児の尿が集中するチャイルドシート・ベビーシート中央にあるベルト止め周辺をどのように保護するか。又、チャイルドシート・ベビーシートのメーカーによる形状の違いに対応可能なシートパッドが求められる。
【考案を解決するための手段】
【０００４】    考案品は末広がりのシートパッドの上に、交換用の長方形のシートパッドを重ね、折り上げて、幼児の腹部を覆うことで課題を解決している。
又、チャイルドシート・ベビーシートのメーカーによる形状の違いに対応するために、伸縮テープ付きのベルトで固定することにより目的を達している。
【考案の効果】
【０００５】    考案品により、幼児のチャイルドシート・ベビーシート使用時のおもらしによる後始末の煩雑さが解消される。
【考案品を実施するための最良の形態】
【０００６】    図１は末広がりのシートパッドに切り目（カット）があり、脱着テープで接着し、シートの形状にあわせて形を整え、その上に交換用の長方形シートパッドを重ね使用するものである。
又、チャイルドシート・ベビーシートのメーカーによる形状の違いに対応できるよう、固定用伸縮テープ付きのベルトも取り付けてある。
【産業上の利用可能性】
【０００７】    本考案は、形状もシンプルで、構造も簡単であり、工業的に量産可能で、産業上の利用可能性を有する。
【図面の簡単な説明】
【０００８】
【図１】  おもらし用末広がりのシートパッドの組立て方と交換用の長方形シートパッドの重ね方、ベルトの取り付け方を記号入りで示した平面図である。
【図２】  図１．Ｂの長方形のシートパッドをＡに重ねた装着例
【図３】  図１．Ａの形を整え、ＡにＢを重ね、Ｂを折り曲げてチャイルドシートのシートベルトをベルト止めに装着した例。
【図４】  チャイルドシート・ベビーシートにベルト止めが無い形状の装着例
【図５】  幼児が考案品を装着した使用例（ベルト止め付）
【符号の説明】
【０００９】  Ａ      末広がり型シートパッド
Ａａ    Ａの裏
Ｂ      交換用長方形型シートパッド（Ａに重ねる）
Ｂａ    長方形型シートパッドの裏（Ｂの裏）
Ｃ      Ａとチャイルド・ベビーシート固定用の（伸縮テープ付）ベルト
（チャイルド・ベビーシートの形状によりＬとＭに接着）
Ｄ      カット部分
Ｅ      カット部分
Ｆ      カット部分
Ｇ      ＪとＫへの接着部
Ｈ      Ｐとの接着部
Ｉ      Ｑへの接着部
Ｊ      Ｇとの接着部
Ｋ      Ｇとの接着部
Ｌ      Ｃへの接着部
Ｍ      Ｃへの接着部
Ｎ      Ｒへの接着部
Ｏ      Ｓへの接着部
Ｐ      Ｈへの接着部
Ｑ      Ｉへの接着部
Ｒ      Ｎへの接着部
Ｓ      Ｏへの接着部
Ｔ      ベルト
Ｕ      ベルト止め
Ｖ      チャイルドシート・ベビーシート
Ｗ      幼児
【図１】
0003149915.tif 000003
【図２】
0003149915.tif 000004
【図３】
0003149915.tif 000005
【図４】
0003149915.tif 000006
【図５】
0003149915.tif 000007
【手続補正書】
【提出日】平成21年1月19日(2009.1.19)
【手続補正１】
【補正対象書類名】実用新案登録請求の範囲
【補正対象項目名】全文
【補正方法】変更
【補正の内容】
【実用新案登録請求の範囲】
【請求項１】
本考案は、平らな末広がり型のシートパッドの、下部中央に、Ｔ字形のカット、上部にも、左右対称に２カ所、縦長のカットをし、接着テープで立体的に組み立てた上に、長方形のシートパッドを重ねた、組み立て式おもらし用、シートパッド。
【手続補正２】
【補正対象書類名】明細書
【補正対象項目名】全文
【補正方法】変更
【補正の内容】
【考案の詳細な説明】
【技術分野】
【０００１】  本考案は、チャイルドシートや、ベビーシート用の、組み立て式おもらし用シートパッドに関する。
【背景技術】
【０００２】  市販品のシートパッドには、色々工夫を凝らしたものがあるが、シートのどんな形状にも対応でき、かつ、シートベルト周りを、おもらしよりガードするものは無い。
【考案の開示】
【考案が解決しようとする課題】
【０００３】  どんなシートにも適応でき、シートベルトを汚さずに済むシートパッドの考案が課題。
【考案を解決する為の手段】
【０００４】  そこで、平らなシートパッドの三カ所をカットし（図１）、接着テープで接着し、立体的に組み立て、長方形のシートパッドを重ね（図２）、シートベルト付きのシートでは、長方形のシートパッドを、折り返して、シートベルトで押さえ（図３）、シートベルトの無いシートでは折り返さずに使用する。
【考案の効果】
【０００５】  よって、組み立てられたシートパッドの上に、長方形のシートパッドを重ねることにより、おもらしを二重にガードすることが出来、長方形のシートパッドのみの交換も可能な上に、シートベルト周りのおもらしもガードでき、異なる形状のシートにも対応可能。
【考案を実施するための最良の形態】
【０００６】  本考案は、平らな末広がり型のシートパッドの、下部中央に、Ｔ字形のカットをし、上部にも、左右対称に、２カ所、縦長のカットをして（図１）、接着テープで接着し、立体的に組み立てた上に、長方形のシートパッドを重ねる（図２）。異なる形状に於いては、必要に応じ、備え付けの伸縮テープ付ベルトを使用（図１）。
【図面の簡単な説明】
【０００７】
【図１】  末広がり型シートパッドの、カットと接着テープの位置、長方形シートパッドの重ね方、伸縮テープ付きベルトの取り付け方を示した平面図。
【図２】  図１、の図面に従って組み立て、長方形のシートパッドを重ねた平面図。
【図３】  図２、の長方形のシートパッドを折り曲げ、シートベルトに装着させた平面図。
【図４】  幼児がチャイルドシートに腰掛け、考案品を装着した平面図。
【符号の説明】
【０００８】  １．    末広がり型シートパッド
２．    長方形型シートパッドの表
２ａ．  長方形型シートパッドの裏
３．    伸縮ベルト
４．    上部のカット
５．    上部のカット
６．    Ｔ字形カット
７．    １０と１１に接着
８．    １４と接着
９．    １５と接着
１０．    ７と接着
１１．    ７と接着
１２．    ３と接着
１３．    ３と接着
１４．    ８と接着
１５．    ９と接着
１６．    チャイルドシートのシートベルト
１７．    チャイルドシートのベルト止め
１８．    チャイルドシート
１９．    幼児
【手続補正３】
【補正対象書類名】図面
【補正対象項目名】全図
【補正方法】変更
【補正の内容】
【図１】
0003149915.tif 000008
【図２】
0003149915.tif 000009
【図３】
0003149915.tif 000010
【図４】
0003149915.tif 000011